(57)【要約】  気流変換装置及びそれを含む掃除機である。気流変換装置は、内部に第１の流路が形成されている第１の部分（１００）と、内部に第２の流路が形成されている第２の部分（２００）と、インペラ構造（３００）とを含み、インペラ構造（３００）は、第１の流路と第２の流路とのうちの一方に駆動気流が提供されるとき、駆動気流がインペラ構造（３００）を回転させ、インペラ構造（３００）の作用で、第１の流路と第２の流路とのうちの他方に流れ方向が駆動気流とは逆の気流が生成されるように構成される。本願に係る気流交換装置には、第１の流路及び第２の流路が設けられ、インペラ構造（３００）が設けられることにより、そのうちの一方の流路内に駆動気流が提供されるとき、他方の流路に駆動気流とは逆の気流が生成されることができる。気流変換装置は、吸気機器又は風吹出機器に用いられ、機器の構造を変えることなく、機器の機能をより豊富にすることができる。【選択図】図１
2022500586.tif 000002
【特許請求の範囲】
【請求項１】
内部に第１の流路が形成されている第１の部分と、内部に第２の流路が形成されている第２の部分と、インペラ構造とを含み、
前記インペラ構造は、前記第１の流路と前記第２の流路とのうちの一方に駆動気流が提供されるとき、前記駆動気流が前記インペラ構造を回転させ、前記インペラ構造の作用で、前記第１の流路と前記第２の流路とのうちの他方に流れ方向が前記駆動気流とは逆の気流が生成されるように構成されることを特徴とする、気流変換装置。
【請求項２】
前記第１の部分は、筒状構造に構成され、内部に前記第１の流路が形成され、側壁に第１のサイドポートが形成され、第２の端のポートが第１のシャフトポートを構成し、前記第１のサイドポートと前記第１のシャフトポートとがそれぞれ前記第１の流路の２つのポートを構成し、及び／又は、
前記第２の部分は、筒状構造に構成され、内部に前記第２の流路が形成され、側壁に第２のサイドポートが形成され、第２の端のポートが第２のシャフトポートを構成し、前記第２のサイドポートと前記第２のシャフトポートとが前記第２の流路の２つのポートを構成することを特徴とする、請求項１に記載の気流変換装置。
【請求項３】
前記第１の部分の第１の端は、第１の接続端を構成し、前記第２の部分の第１の端は、第２の接続端を構成し、前記第１の接続端は、前記第２の接続端に接続可能であることを特徴とする、請求項２に記載の気流変換装置。
【請求項４】
前記インペラ構造は、同期して回転し、回転方向が逆である第１のインペラ及び第２のインペラを含み、前記第１のインペラは、前記第１の流路内に位置し、前記第２のインペラは、前記第２の流路内に位置することを特徴とする、請求項１に記載の気流変換装置。
【請求項５】
前記インペラ構造は、前記第１のインペラ及び前記第２のインペラが設けられている接続軸をさらに含むことを特徴とする、請求項４に記載の気流変換装置。
【請求項６】
前記第１の流路内に第１の支持構造が設けられ、前記第２の流路内に第２の支持構造が設けられ、前記第１の支持構造と前記第２の支持構造とが前記接続軸を支持することを特徴とする、請求項５に記載の気流変換装置。
【請求項７】
回転軸をさらに含み、
前記接続軸は、前記回転軸により前記第１の支持構造と前記第２の支持構造とに回転可能に接続されることを特徴とする、請求項６に記載の気流変換装置。
【請求項８】
前記第１の流路と前記第２の流路とを仕切る仕切り構造をさらに含むことを特徴とする、請求項１〜７のいずれか一項に記載の気流変換装置。
【請求項９】
前記仕切り構造が２つ設けられ、２つの前記仕切り構造が接合されて、前記第１の流路と前記第２の流路とを仕切ることを特徴とする、請求項８に記載の気流変換装置。
【請求項１０】
前記仕切り構造は、半円環形構造に構成された仕切り板を含み、２つの前記仕切り板は、接合されて円環構造を形成し、前記接続軸は、前記円環構造の内円を貫通することを特徴とする、請求項９に記載の気流変換装置。
【請求項１１】
前記仕切り構造は、半円筒状構造に構成された取付部をさらに含み、前記取付部の軸線は、前記仕切り板と垂直であり、前記仕切り板の外縁は、前記取付部の径方向内側壁に接続されることを特徴とする、請求項１０に記載の気流変換装置。
【請求項１２】
前記第１の部分の内部に第１の取付座が設けられ、前記第２の部分の内部に第２の取付座が設けられ、前記第１の取付座と前記第２の取付座とが前記取付部の両端に当接することにより前記取付部の取付が完了することを特徴とする、請求項１１に記載の気流変換装置。
【請求項１３】
前記接続軸には、位置制限構造が設けられており、
前記接続軸の軸方向において、前記位置制限構造は、前記仕切り板と協働して前記接続軸を位置制限することを特徴とする、請求項１０に記載の気流変換装置。
【請求項１４】
前記位置制限構造は、前記接続軸の周方向に沿って形成された環形構造に構成され、前記環形構造が２つ設けられ、２つの前記環形構造の間に環形溝が形成され、前記仕切り板の内縁は、前記環形溝内に伸びることを特徴とする、請求項１３に記載の気流変換装置。
【請求項１５】
本体及び請求項１〜１４のいずれか一項に記載の気流変換装置を含む掃除機であって、
前記気流変換装置は、前記掃除機の吸気口に取り付けられることができることを特徴とする、掃除機。
【発明の詳細な説明】
【関連出願】
【０００１】
本願は、２０１８年１０月１５日に出願された、出願番号が２０１８１１１９５４２８．０で、名称が「気流変換装置及びそれを含む掃除機」である中国特許出願の優先権を主張するものであり、その全ての内容は参照により本願に組み込まれるものとする。
【技術分野】
【０００２】
本願は、気流駆動装置に関連する技術分野に関し、特に気流変換装置及びそれを含む掃除機である。
【背景技術】
【０００３】
掃除機は、負圧で吸引力を形成し、いくつかの領域内の塵を特定のキャビティ内に吸入して、掃除効果を達成する。一般的なほうきなどの掃除工具に比べて、掃除効果がより高く、ますます人気が高まっている。しかし、いくつかの領域内の塵が何らかの理由（例えば、遮られるか又は付着される）で、従来の掃除機により除去することができないため、塵吹き機能を備えた掃除機が現れ、これらのタイプの機器は、一般的にモータの排風口を利用して風を吹き出し、このような構造の最大の欠点は、塵吹き風路が依然として元の集塵風路に接続されるため、吹き出された空気に塵が含まれ、二次汚染を引き起こすことである。また、吹出風路が長くなるため、風抵抗が増加し、モータが熱せられて耐用年数が短くなり、掃除機の構造がより複雑になり、製造コストがより高くなる。
【発明の概要】
【発明が解決しようとする課題】
【０００４】
これに鑑みて、本願の１つの目的は、気流の流れ方向の変換を実現できる気流変換装置及びそれを含む掃除機を提供することである。
【課題を解決するための手段】
【０００５】
第１の態様に係る気流変換装置は、内部に第１の流路が形成されている第１の部分と、内部に第２の流路が形成されている第２の部分と、インペラ構造とを含み、前記インペラ構造は、前記第１の流路と前記第２の流路とのうちの一方に駆動気流が提供されるとき、前記駆動気流が前記インペラ構造を回転させ、前記インペラ構造の作用で、前記第１の流路と前記第２の流路とのうちの他方に流れ方向が前記駆動気流とは逆の気流が生成されるように構成される。
【０００６】
さらに、前記第１の部分は、筒状構造に構成され、内部に前記第１の流路が形成され、側壁に第１のサイドポートが形成され、第２の端のポートが第１のシャフトポートを構成し、前記第１のサイドポートと前記第１のシャフトポートとがそれぞれ前記第１の流路の２つのポートを構成し、及び／又は、前記第２の部分は、筒状構造に構成され、内部に前記第２の流路が形成され、側壁に第２のサイドポートが形成され、第２の端のポートが第２のシャフトポートを構成し、前記第２のサイドポートと前記第２のシャフトポートとが前記第２の流路の２つのポートを構成する。
【０００７】
さらに、前記第１の部分の第１の端は、第１の接続端を構成し、前記第２の部分の第１の端は、第２の接続端を構成し、前記第１の接続端は、前記第２の接続端に接続可能である。
【０００８】
さらに、前記インペラ構造は、同期して回転し、回転方向が逆である第１のインペラ及び第２のインペラを含み、前記第１のインペラは、前記第１の流路内に位置し、前記第２のインペラは、前記第２の流路内に位置する。
【０００９】
さらに、前記インペラ構造は、前記第１のインペラ及び前記第２のインペラが設けられている接続軸をさらに含む。
【００１０】
さらに、前記第１の流路内に第１の支持構造が設けられ、前記第２の流路内に第２の支持構造が設けられ、前記第１の支持構造と前記第２の支持構造とが前記接続軸を支持する。
【００１１】
さらに、前記気流変換装置は回転軸をさらに含み、前記接続軸は、前記回転軸により前記第１の支持構造と前記第２の支持構造とに回転可能に接続される。
【００１２】
さらに、前記気流変換装置は、前記第１の流路と前記第２の流路とを仕切る仕切り構造をさらに含む。
【００１３】
さらに、前記仕切り構造が２つ設けられ、２つの前記仕切り構造が接合されて、前記第１の流路と前記第２の流路とを仕切る。
【００１４】
さらに、前記気流変換装置は、請求項５に記載の気流変換装置であり、前記仕切り構造は、半円環形構造に構成された仕切り板を含み、２つの前記仕切り板は、接合されて円環構造を形成し、前記接続軸は、前記円環構造の内円を貫通する。
【００１５】
さらに、前記仕切り構造は、半円筒状構造に構成された取付部をさらに含み、前記取付部の軸線は、前記仕切り板と垂直であり、前記仕切り板の外縁は、前記取付部の径方向内側壁に接続される。
【００１６】
さらに、前記第１の部分の内部に第１の取付座が設けられ、前記第２の部分の内部に第２の取付座が設けられ、前記第１の取付座と前記第２の取付座とが前記取付部の両端に当接することにより前記取付部の取付が完了する。
【００１７】
さらに、前記接続軸には、位置制限構造が設けられており、前記接続軸の軸方向において、前記位置制限構造は、前記仕切り板と協働して前記接続軸を位置制限する。
【００１８】
さらに、前記位置制限構造は、前記接続軸の周方向に沿って形成された環形構造に構成され、前記環形構造が２つ設けられ、２つの前記環形構造の間に環形溝が形成され、前記仕切り板の内縁は、前記環形溝内に伸びる。
【００１９】
第２の態様に係る掃除機は、本体及び上記気流変換装置を含み、前記気流変換装置は、前記掃除機の吸気口に取り付けられることができる。
【発明の効果】
【００２０】
本願に係る気流交換装置には、第１の流路及び第２の流路が設けられ、インペラ構造が設けられることにより、そのうちの一方の流路内に駆動気流が提供されるとき、他方の流路に駆動気流とは逆の気流が生成されることができる。気流変換装置は、吸気機器又は風吹出機器に用いられ、機器の構造を変えることなく、機器の機能をより豊富にすることができる。
【図面の簡単な説明】
【００２１】
以下の図面を参照しながら本願の実施例を説明することにより、本願の記載及びその他の目的、特徴及び利点はより明らかになる。
【図１】本願に係る気流変換装置の概略構造図を示す。
【図２】気流変換装置の分解構造図を概略的に示す。
【図３】組立状態の気流変換装置の概略断面図を示す。
【図４】分解状態の気流変換装置の概略断面図を示す。
【図５】掃除機で使用されている気流変換装置内の気流状態を示す。
【図６】ヘアドライヤーで使用されている気流変換装置内の気流状態を示す。
【発明を実施するための形態】
【００２２】
以下、実施例に基づいて本願を説明するが、本願はこれらの実施例に限定されない。当業者であれば、本明細書で提供される図面が例示を目的とするものであり、そして図面が必ずしも一定の縮尺で描かれているものではないことを理解されたい。
【００２３】
文脈で別途の明確な説明がない限り、本明細書及び特許請求の範囲における「含む」、「包含」などの類似用語は、排他的又は網羅的な意味よりむしろ包括的な意味として解釈されるべきであり、即ち、「含むが、これらに限定されない」という意味である。
【００２４】
本願の説明では、「第１」、「第２」などの用語は、説明するためのものにすぎず、相対的な重要性を示すか又は示唆するものとして理解できないことを理解されたい。また、本願の説明では、特別な説明がない限り、「複数」は、２つ又は２つ以上を意味する。
【００２５】
本願に係る気流変換装置は、風吸込機器又は風吹出機器に用いられることができ、風吸込機器に用いられると、風吸込機器が風を吹き出すことができ、風吹出機器に用いられると、風吹出機器が風を吸い込むことができる。
【００２６】
図１、２に示すように、本願に係る気流変換装置は、内部に第１の流路が形成されている第１の部分１００と、内部に第２の流路が形成されている第２の部分２００と、インペラ構造３００とを含み、上記第１の流路と上記第２の流路とが連通せず、上記インペラ構造３００は、一部が上記第１の流路内に位置し、他の一部が上記第２の流路内に位置し、上記インペラ構造３００の作用で、上記第１の流路又は第２の流路に駆動気流が提供されて上記インペラ構造３００を回転させるように駆動し、上記インペラ構造３００の作用で、上記第２の流路又は第１の流路内に流れ方向が上記駆動気流とは逆の気流が生成される。
【００２７】
上記第１の部分１００と上記第２の部分２００は、好ましくは、内部キャビティが上記第１の流路と第２の流路とを構成する筒状構造に構成され、上記第１の部分１００の軸方向の第１の端は、第１の接続端１１０を形成し、上記第２の部分２００の軸方向の第１の端は、第２の接続端２１０を形成し、好ましくは、上記第１の接続端１１０と上記第２の接続端２１０とは、径方向の寸法が同じであり、係着、ネジ接続等の方式で接続することができる。上記第１の接続端１１０と上記第２の接続端２１０とは、密封接続され、例えば、上記第１の接続端１１０と上記第２の接続端２１０とは、位置決めリブと位置決め溝とが嵌合する構造により密封接触し、或いは、上記第１の接続端１１０及び／又は第２の接続端２１０には密封構造が設けられる。図２、４に示すように、上記第１の部分１００に第１の位置決め構造１１１が設けられ、上記第２の部分２００に第２の位置決め構造２１１が設けられ、上記第１の接続端１１０と上記第２の接続端２１０とが接続されるとき、上記第１の位置決め構造１１１と上記第２の位置決め構造２１１とが協働して位置決めを行う。好ましくは、上記第１の位置決め構造１１１は、上記第１の部分１００の内部において上記第１の接続端１１０から伸び出す柱状構造に構成され、上記第２の位置決め構造２１１は、上記第２の部分２００の内壁に形成された孔又は溝状構造に構成され、上記第１の接続端１１０と上記第２の端２１０とが接続されるとき、上記第１の位置決め構造１１１は、上記第２の位置決め構造２１１内に挿入される。好ましくは、上記第１の位置決め構造１１１と上記第２の位置決め構造２１１とは、位置が対応して複数設けられ、さらに、いずれも２つ設けられる。
【００２８】
上記第１の部分１００の第１の端から離れた第２の端のポートは、上記第１の流路を外部に連通させる第１のシャフトポート１２０を構成し、上記第１の部分１００の側壁には、上記第１の流路を外部に連通させる第１のサイドポート１３０が形成され、好ましくは、上記第１のサイドポート１３０は、上記第１の接続端１１０に近い位置に形成され、さらに、上記第１のサイドポート１３０は、上記第１の部分１００の周方向に沿って複数配置され、上記第１のシャフトポート１２０と上記第１のサイドポート１３０とは、上記第１の流路の２つのポートを構成する。上記第２の部分２００の第１の端から離れた第２の端のポートは、上記第２の流路を外部に連通させる第２のシャフトポート２２０を構成し、上記第２の部分２００の側壁には、上記第２の流路を外部に連通させる第２のサイドポート２３０が形成され、好ましくは、上記第２のサイドポート２３０は、上記第２の接続端２１０に近い位置に形成され、さらに、上記第２のサイドポート２３０は、上記第２の部分２００の周方向に沿って複数配置され、上記第２のシャフトポート２２０と上記第２のサイドポート２３０とは、上記第２の流路の２つのポートを構成する。
【００２９】
上記インペラ構造３００は、第１のインペラ３１０、第２のインペラ３２０及び接続軸３３０を含み、上記第１のインペラ３１０と上記第２のインペラ３２０とは、上記接続軸３３０を介して接続されることにより、同期して回転することができ、上記第１のインペラ３１０と第２のインペラ３２０とは、回転方向が逆である状態で設けられ、好ましくは、上記第１のインペラ３１０、第２のインペラ３２０及び上記接続軸３３０は、一体に形成されるか、又は、別体に形成された後に接続されて一体構造になる。上記第１のインペラ３１０は、上記第１の部分１００の第１の接続端１１０から上記第１の流路内に伸び、上記第２のインペラ３２０は、上記第２の部分２００の第２の接続端２２０から上記第２の流路内に伸び、上記第１のインペラ３１０と上記第２のインペラ３２０との回転方向が逆であるため、上記インペラ構造３００が回転するとき、上記第１の流路と上記第２の流路内の気流の流れ方向が逆である。
【００３０】
図３、４に示すように、上記第１の部分１００の内部には、第１の支持部１４１と、上記第１の部分１００の内壁及び上記第１の接続部１４２に接続される第１の接続部１４２とを含む第１の支持構造１４０が設けられている。上記第１の部分１００の内部の、上記第１の支持構造１４０と上記第１の接続端１１０との間に位置する空間は、上記第１のインペラ３１０を収容するための第１の収容キャビティを構成し、上記第１の支持部１４１は、上記第１の収容キャビティ内に位置し、好ましくは、上記第１の部分１００の軸線に位置する。上記第１の収容キャビティは、上記第１の支持構造１４０と上記第１のシャフトポート１２０との間のキャビティに連通し、上記第１のサイドポート１３０は、上記第１の収容キャビティに連通し、即ち、上記第１の収容キャビティは、上記第１の流路の一部に属し、即ち、上記第１のインペラ３１０は、上記第１の流路内に位置する。
【００３１】
上記第２の部分２００の内部には、第２の支持部２４１と、上記第２の部分２００の内壁及び上記第２の接続部２４２に接続される第２の接続部２４２とを含む第２の支持構造２４０が設けられている。上記第２の部分２００の内部の、上記第２の支持構造２４０と上記第２の接続端２１０との間に位置する空間は、上記第２のインペラ３２０を収容するための第２の収容キャビティを構成し、上記第２の支持部２４１は、上記第２の収容キャビティ内に位置し、好ましくは、上記第２の部分２００の軸線に位置する。上記第２の収容キャビティは、上記第２の支持構造２４０と上記第２のシャフトポート２２０との間のキャビティに連通し、上記第２のサイドポート２３０は、上記第２の収容キャビティに連通し、即ち、上記第２の収容キャビティは、上記第２の流路の一部に属し、即ち、上記第２のインペラ３２０は、上記第２の流路内に位置する。
【００３２】
上記第１の支持部１４１及び上記第２の支持部２４１は、上記接続軸３３０を支持する。例えば、上記接続軸３３０は、筒状構造に構成され、上記第１の支持部１４１及び上記第２の支持部２４１は、それぞれ上記接続軸３３０の両端から上記接続軸３３０内に伸びて、上記接続軸３３０に対して支持作用を果たし、かつ上記接続軸３３０を回転させることができる柱状構造に構成されている。また、容易に想到されるように、上記第１の支持部１４１と上記第２の支持部２４１とを筒状構造とし、上記接続軸３３０の両端をそれぞれ２つの上記筒状構造内に挿入してもよい。本実施例において、上記接続軸３３０の内部に穿設され、両端が上記第１の支持部１４１及び上記第２の支持部２４１に回転可能に接続され、上記インペラ構造３００に伴って同期して回転する回転軸５００がさらに設けられている。好ましくは、上記回転軸５００の両端が上記第１の支持部１４１及び上記第２の支持部２４１内に挿入され、上記接続軸３３０の両端が上記第１の支持部１４１及び上記第２の支持部２４１の外側に嵌着されることにより、上記インペラ構造３００の回転をより安定させる。
【００３３】
図２に示すように、上記気流変換装置は、上記第１のインペラ３１０と上記第２のインペラ３２０とが位置する空間を仕切り、即ち、上記第１の流路と上記第２の流路とを連通させない仕切り構造４００をさらに含む。好ましくは、上記仕切り構造４００が２つ設けられ、２つの上記仕切り構造４００は、接合されて、上記第１の流路と上記第２の流路とを仕切ることができる構造を形成する。上記仕切り構造４００は、半円環形構造に構成された仕切り板４１０を含み、２つの上記仕切り板４１０は、突き合わせて完全な円環構造を形成し、上記接続軸３３０が上記円環構造の内円を貫通し、上記第１のインペラ３１０と上記第２のインペラ３２０とが上記仕切り板４１０の両側に位置し、上記接続軸３３０が上記仕切り板４１０に対して回転することができる。上記仕切り板４１０の径方向外側の縁部は、上記第１の部分１００及び／又は上記第２の部分２００の内壁に接触する。好ましくは、上記仕切り板４１０と上記第１の部分１００及び／又は第２の部分２００とは密封接触し、上記仕切り板４１０と上記接続軸３３０も密封接触する。
【００３４】
好ましくは、上記仕切り構造４００は、半円筒状構造に構成された取付部４２０をさらに含み、上記取付部４２０の軸線は、上記仕切り板４１０と垂直であり、上記仕切り板４１０の外縁は、上記取付部４２０の径方向内側壁に接続され、好ましくは、上記取付部４２０の軸方向において、上記仕切り板４１０は、上記取付部４２０の中間位置に位置する。それに応じて、上記第１の部分１００の内部には、上記第１の収容キャビティ内に設けられた筒状構造に構成される第１の取付座１５０が設けられ、好ましくは、上記第１の取付座１５０の軸線は、上記第１の部分１００の軸線と共線であり、上記第１の取付座１５０の一端は、上記第１の支持構造１４０の上記第１の接続部１４２に接続され、上記取付部４２０の径方向寸法は、上記第１の取付座１５０の径方向寸法と同じであり、上記取付部４２０の軸方向の端部は、上記第１の取付座１５０に当接し、好ましくは、上記取付部４２０は、上記第１の取付座１５０に密封接触する。上記第２の部分２００内には、上記第２の収容キャビティ内に設けられた筒状構造に構成される第２の取付座２５０が設けられ、好ましくは、上記第２の取付座２５０の軸線は、上記第２の部分２００の軸線と共線であり、上記第２の取付座２５０の一端は、上記第２の支持構造２４０の上記第２の接続部２４２に接続され、上記取付部４２０の径方向寸法は、上記第２の取付座２５０の径方向寸法と同じであり、上記取付部４２０の軸方向の端部は、上記第２の取付座２５０に当接し、好ましくは、上記取付部４２０は、上記第２の取付座２５０に密封接触する。上記取付部４２０を上記第１の取付座１５０と上記第２の取付座２５０との間にしっかりと押し付けることにより、取付を完了する。
【００３５】
図３、４に示すように、上記第１の取付座１５０と上記第１の部分１００の内壁との間に環形隙間が形成され、上記第１の取付座１５０に連通孔が設けられることにより、上記第１の取付座１５０の内部空間は、上記連通孔を介して上記環形隙間に連通することができ、さらに、上記第１のサイドポート１３０は、上記第１の取付座１５０の内部に連通することができる。同様に、上記第２の取付座２５０にも連通孔が設けられることにより、上記第２のサイドポート２３０は、上記第２の取付座２５０の内部に連通する。或いは、本実施例において、上記取付部４２０に連通孔４２１が設けられ、上記仕切り板４１０の両側に複数の上記連通孔４２１が設けられ、上記連通孔４２１が果たす作用は、上記第１の取付座１５０及び第２の取付座２５０に設けられた連通孔が果たす作用と同じである。上記取付部４２０、上記第１の取付座１５０及び第２の取付座２５０に連通孔が同時に設けられていてもよい。
【００３６】
好ましくは、他の実施例において、上記仕切り構造４００は、上記第１の部分１００と上記第２の部分２００との間に設けられてもよく、即ち、上記第１の部分１００の第１の接続端１１０と上記第２の部分２００の第２の接続端２１０とは、上記取付部４２０に接続され、このとき、第１の取付座１５０及び第２の取付座２５０を設ける必要がなくなる。
【００３７】
好ましくは、上記接続軸３３０には、位置制限構造３３１が設けられており、上記位置制限構造３３１は、上記接続軸３３０の軸方向において、上記仕切り板４１０と協働して上記接続軸３３０を位置制限する作用を果たす。上記位置制限構造３３１は、好ましくは、上記接続軸３３０の外壁にその周方向に沿って形成された環形構造に構成され、上記位置制限構造３３１が２つ設けられ、２つの上記位置制限構造３３１の間に環形溝３３２が形成され、上記仕切り板４１０の径方向内側の縁部が上記環形溝３３２内に入ることができるように、上記環形溝３３２と上記仕切り板４１０とが係合して取り付けられ、上記環形溝３３２と上記仕切り板４１０との係合により上記接続軸３３０がその軸方向に位置制限される。上記環形溝３３２を設けることにより、上記接続軸３３０と上記仕切り板４１０との間に密封係合がより容易に形成され、例えば、上記環形溝３３２内に密封部材が設けられ、上記仕切り板４１０と密封係合などが形成されることができる。
【００３８】
本願に係る気流変換装置は、掃除機に取り付けることができ、上記第２の部分２００は、接続端として掃除機の吸込口に接続される。掃除機は、動作時に、上記第１の部分１００及び第２の部分２００内の気流の流れ方向が図５に示すとおりであり、掃除機の作用で、上記第２の流路内に駆動気流を生成し、上記第２の部分２００の第２のサイドポート２３０が風を取り込み、気流が上記第２の流路に流入し、上記第２のインペラ３２０を回転させるように駆動し、そして上記第２のシャフトポート２２０を通って上記掃除機の風取込管路内に流入する。上記第２のインペラ３２０は、回転して、上記第１のインペラ３１０を同期して回転させるように駆動し、上記第１のインペラ３１０と上記第２のインペラ３２０との回転方向が逆であるため、上記第１のインペラ３１０の作用で、上記第１の部分１００の第１のサイドポート１３０が風を取り込み、気流が上記第１の流路を流れて上記第１のシャフトポート１２０から吹き出される。上記気流変換装置は、掃除機が風吹出の機能を実現することを可能にする。
【００３９】
本願に係る気流変換装置は、さらにヘアドライヤーに取り付けることができ、上記第２の部分２００は、接続端としてヘアドライヤーの吹出口に接続される。ヘアドライヤーは、動作時に、上記第１の部分１００及び第２の部分２００内の気流の流れ方向が図６に示すとおりであり、ヘアドライヤーの作用で、上記第２の流路内に駆動気流を生成し、気流が上記第２の部分２００の第２のシャフトポート２２０から上記第２の流路に流入し、上記第２のインペラ３２０を回転させるように駆動し、そして上記第２のサイドポート２３０から吹き出される。上記第２のインペラ３２０は、回転して、上記第１のインペラ３１０を同期して回転させるように駆動し、上記第１のインペラ３１０と上記第２のインペラ３２０との回転方向が逆であるため、上記第１のインペラ３１０の作用で、上記第１の部分１００の第１のシャフトポート１２０が風を取り込み、気流が上記第１の流路を流れて上記第１のサイドポート１３０から吹き出され、上記気流変換装置は、ヘアドライヤーが風吸込の機能を実現することを可能にする。
【００４０】
好ましくは、他の実施例において、上記第１の部分１００を接続端とすることもでき、上記第１の部分１００を接続端とする効果は、上記第２の部分２００を接続端とする効果と同じである。
【００４１】
本願に係る気流変換装置において、インペラ構造の２つのインペラを回転方向が逆である構造とすることにより、インペラ構造が回転するとき、逆流転向構造の２つの部分のうちの一方が風を吸い込み、他方が風を吹き出すことができる。それにより、風吸込により上記逆流変換構造を駆動する場合、風吹出の機能を実現することができ、或いは、風吹出により上記気流変換装置を駆動する場合、風吸込の機能を実現することができる。
【００４２】
当業者であれば容易に理解できるように、衝突がない限り、上記それぞれの解決手段を自由に組み合わせ、重ね合わせることができる。
【００４３】
上記実施形態は、限定的なものではなく、例示的なものにすぎず、当業者が本願の基本原理から逸脱せずに上記詳細に対して行うことができる様々な明らかな又は同等の修正又は置換は、いずれも本願の特許請求の範囲に含まれることを理解されたい。
【図１】
2022500586.tif 000003
【図２】
2022500586.tif 000004
【図３】
2022500586.tif 000005
【図４】
2022500586.tif 000006
【図５】
2022500586.tif 000007
【図６】
2022500586.tif 000008
【国際調査報告】
2022500586.tif 000009
2022500586.tif 000010
2022500586.tif 000011
2022500586.tif 000012